(57)【要約】      （修正有）【課題】安価、省スペースで温度変化による測定値補正を行う眼科装置を提供する。【解決手段】眼科装置において、測定用光源２０１が眼屈折力測定用の光源と位置合わせ用の光源とを兼用しており、被検眼Ｅの眼底Ｅｒに略共役位置に拡散板２２２が挿抜可能に配置され、眼科装置は、測定光源２０１から発する光束の光路０１内に拡散板２２２が配置された状態で、光源２０１による光束が拡散板２２２を透過した光束を被検眼Ｅの角膜Ｅｆに投影して位置合わせを行い、かつ光源２０１による光束の一部が拡散板２２２で反射して生じた光束を受光して得られた画像から測定値を補正する。【選択図】図２
2015167682.tif 000002
【特許請求の範囲】
【請求項１】
被検眼に光束を投影する光源と、
前記光束の光路に前記被検眼の眼底と略共役に配置される拡散板と、
前記被検眼からの反射光束から前記被検眼の画像を取得する測定手段と、
前記測定手段が取得した前記画像から測定値を算出する算出手段と、
前記光源から発せられて前記拡散板を透過し前記眼底で反射した反射光束を用いて前記被検眼と前記測定手段の位置合わせを行う位置合わせ手段と、
前記光源から発せられて前記拡散板で反射した反射光束から前記測定値を補正する算出手段と、
を有することを特徴とする眼科装置。
【請求項２】
あらかじめ前記光源から発せられて前記拡散板で反射した反射光束から取得した画像と、前記被検眼の測定の際に前記光源から発せられて前記拡散板で反射した反射光束から取得した画像とから補正係数を決定する補正手段をさらに有し、
前記算出手段は、前記補正係数を用いて前記測定値を補正することを特徴とする請求項１に記載の眼科装置。
【請求項３】
前記補正手段は、前記位置合わせ手段が前記測定手段の位置合わせを行っている間に、前記補正係数を決定する処理を行うことを特徴とする請求項２に記載の眼科装置。
【請求項４】
前記位置合わせ手段が前記測定手段の位置合わせを行っている間に前記補正手段による前記補正係数を決定する処理が完了しなかった場合には、前記算出手段は、前回の処理で決定した補正係数を用いて前記測定値を補正することを特徴とする請求項３に記載の眼科装置。
【請求項５】
前記補正手段は、あらかじめ前記光源から発せられて前記拡散板で反射した反射光束から取得した画像の寸法と、前記被検眼の測定の際に前記光源から発せられて前記拡散板で反射した反射光束から取得した画像の寸法との比を補正係数に決定することを特徴とする請求項２から４のいずれか１項に記載の眼科装置。
【請求項６】
前記測定手段が前記被検眼の画像を取得する際に前記被検眼に光束を投影する光源と、前記位置合わせ手段が前記被検眼と前記測定手段の位置合わせの際に前記被検眼に光束を投影する光源とは共通であることを特徴とする請求項１から５のいずれか１項に記載の眼科装置。
【請求項７】
前記測定手段は複数の測定モードを備え、前記算出手段は、測定モードごとに測定値を補正することを特徴とする請求項１から６のいずれか１項に記載の眼科装置。
【請求項８】
被検眼に光束を投影する光源と、前記光束の光路に前記被検眼の眼底と略共役に配置される拡散板と、前記被検眼からの反射光束から前記被検眼の画像を取得する測定手段と、を有する眼科装置の制御方法であって、
前記測定手段が取得した前記画像から測定値を算出するステップと、
前記光源から発せられて前記拡散板を透過し前記眼底で反射した反射光束を用いて前記被検眼と前記測定手段の位置合わせを行うステップと、
前記光源から発せられて前記拡散板で反射した反射光束から測定値を補正するステップと、
を有することを特徴とする眼科装置の制御方法。
【請求項９】
被検眼に光束を投影する光源と、前記光束の光路に前記被検眼の眼底と略共役に配置される拡散板と、前記被検眼からの反射光束から前記被検眼の画像を取得する測定手段と、を有する眼科装置のコンピュータに、請求項８に記載の各ステップを実行させることを特徴とするプログラム。
【発明の詳細な説明】
【技術分野】
【０００１】
本発明は、眼科装置、眼科装置の制御方法、プログラムに関する。特には、被検眼に対して位置合わせを行って検眼などを行う眼科装置と、この眼科装置の制御方法、およびこの眼科装置の制御方法を実行するためのプログラムに関する。
【背景技術】
【０００２】
眼科装置において、環境温度などの変化による測定変化を補正する構成がある。特許文献１には、眼底共役位置に配置され反射部材による反射光を受光素子により受光して測定値を補正する構成が開示されている。
【先行技術文献】
【特許文献】
【０００３】
【特許文献１】特開２００６−１４９０４号公報
【発明の概要】
【発明が解決しようとする課題】
【０００４】
特許文献１の眼科装置では、測定のための光源と位置合わせのための光源を別個に備える必要があるため、その分のコストが上がる可能性がある。また、部品を配置するためのスペースが必要になるため、装置が大きくなる可能性がある。なお、特許文献１の構成において、光源を共通にして、測定のために被検眼の眼底に光束を投影する光路と、位置合わせのために被検眼の角膜に光束を投影する光路とを共通にすると、次のような問題が生じる可能性がある。すなわち、測定値補正を行うための反射部材が光路内に配置されている間は、被検眼の角膜に光束を投影することが困難である。そのため、位置合わせ中には測定値の補正が行えず、アライメントが終了してから測定値の補正を行う必要がある。したがって、結果として測定時間が延びてしまう可能性がある。上記実情に鑑み、本発明が解決しようとする課題は、安価、省スペースで測定値の補正を行い、測定値の精度を向上することである。
【課題を解決するための手段】
【０００５】
本発明に係る眼科装置は、被検眼に光束を投影する光源と、前記光束の光路に前記被検眼の眼底と略共役に配置される拡散板と、前記被検眼からの反射光束から前記被検眼の画像を取得する測定手段と、前記測定手段が取得した前記画像から測定値を算出する算出手段と、前記光源から発せられて前記拡散板を透過し前記眼底で反射した反射光束を用いて前記被検眼と前記測定手段の位置合わせを行う位置合わせ手段と、前記光源から発せられて前記拡散板で反射した反射光束から測定値を補正する算出手段と、を有することを特徴とする。
【発明の効果】
【０００６】
本発明に係る眼科装置によれば、安価、省スペースで測定値の補正を行い、測定値の精度を向上することが可能になる。
【図面の簡単な説明】
【０００７】
【図１】眼屈折力計の全体構成を模式的に表す図である。
【図２】眼屈折力計の光学配置図である。
【図３】リング状の開口部の切り替え機構を表す図である。
【図４】通常瞳孔径用のリング状の開口部が略光軸上に配置された状態を表す模式図である。
【図５】小瞳孔径用のリング状の開口部が略光軸上に配置された状態を表す模式図である。
【図６】製造出荷時とユーザー測定時におけるリング像の楕円近似を比較する説明図である。
【発明を実施するための形態】
【０００８】
（眼科装置の構成）
以下、本発明の実施の形態を、図面を用いて説明する。図１は、本発明に係る眼科装置の実施形態である眼屈折力計１の全体の構成例を示す模式図である。図２は、本発明に係る眼科装置の実施形態である眼屈折力計１の光学系の構成例を模式的に示す図である。
【０００９】
（装置構成）
図１に示すように、眼屈折力計１は、ベース１００と、Ｘ軸フレーム１０２と、Ｙ軸フレーム１０６と、Ｚ軸フレーム１０７と、測定ユニット１１０とを有する。さらに、眼屈折力計１は、各部を駆動や制御するシステム制御部１２０と、所定のデータを記憶する記憶手段としてのメモリ１２１と、補正係数を決定する補正部１２２と、所定の演算を行う算出部１２３とを有する。システム制御部１２０は、測定ユニット１１０と被検眼Ｅとの位置合わせを行う位置合わせ手段の例である。ベース１００には、ジョイスティック１０１が設けられる。ジョイスティック１０１は、被検眼Ｅに対して測定ユニット１１０を位置合わせするための操作部材である。オート測定に際しては、検者がジョイスティック１０１に備えられた釦（不図示）を押下すると、システム制御部１２０はオートアライメントおよび測定を開始する。また、マニュアルアライメント時には、検者がジョイスティック１０１を傾倒させると、システム制御部１２０は、ジョイスティック１０１の操作に応じて測定ユニット１１０の位置合わせを行う。眼屈折力の測定を行う際には、被検者は顎受け１１２上に顎を乗せ、かつベース１００に固定されている顔受けフレーム（不図示）の額受け部分に額を押し当てる。これにより、被検眼Ｅの位置を固定させることができる。なお、顎受け１１２は、被検者の顔のサイズに応じて、顎受け駆動機構１１３によりＹ軸方向の位置を調整可能である。測定ユニット１１０の検者側（Ａ）端部には、被検眼Ｅを観察するための表示部材であるＬＣＤモニタ１１６が設けられている。ＬＣＤモニタ１１６は、システム制御部１２０による制御にしたがって、測定結果等を表示できる。
【００１０】
（前眼部観察と指標を用いたアライメント）
（１）アライメント光学系
図２に示すように、ダイクロイックミラー２０６の反射方向には、被検眼Ｅの前眼部観察（粗の位置合わせ）と、指標を用いたアライメント検出（微の位置合わせ）とで共用されるアライメント受光光学系（位置合わせ受光手段の例）が配置されている。即ち、ダイクロイックミラー２１２の反射方向の光路０４上には、ダイクロイックミラー２１２から近い順に、アライメントプリズム絞り２２３と、結像レンズ２１８と、撮像素子２２０とが配列されている。なお、アライメントプリズム絞り２２３は、不図示のソレノイドにより光路に挿抜駆動される。
【００１１】
被検眼Ｅの前眼部の斜め前方には、前眼部照明光源２２１ａ，２２１ｂ（外眼照明光源）が配置されている。前眼部照明光源２２１ａ、２２１ｂは、被検眼Ｅの前眼部を照明する。その反射光束である被検眼Ｅの前眼部像の光束は、ダイクロイックミラー２０６と、レンズ２１１と、ダイクロイックミラー２１２と、アライメントプリズム絞り２２３の中央開口部（不図示）とを介して、撮像素子２２０の受光センサ面に結像する。
【００１２】
システム制御部１２０は、撮像素子２２０で撮像された被検眼Ｅの前眼部像を、メモリに格納する。そして、システム制御部１２０は、メモリ１２１に格納された画像から、被検眼Ｅの瞳孔Ｅｐと以下に述べる角膜反射像を抽出し、アライメント検出を行う。なお、システム制御部１２０は、撮像素子２２０で撮像された被検眼Ｅの前眼部像に、文字や図形データを合成し、ＬＣＤモニタ１１６上に表示することができる。
【００１３】
アライメント検出のための光源は眼屈折力測定用の測定光源２０１が兼用しており、アライメント検出と眼屈折力測定とで共通の光源を用いる。半透明の拡散板２２２は、光路内（光路０１内）に挿抜可能に構成され、拡散板挿抜ソレノイド２２５によって挿抜駆動される。なお、拡散板挿抜ソレノイド２２５は、システム制御部１２０により制御される。拡散板挿抜ソレノイド２２５は、拡散板駆動手段の例である。アライメント時には、半透明の拡散板２２２が、拡散板挿抜ソレノイド２２５により光路０１内に挿入される。ここで、拡散板２２２が挿入される位置は、被検眼Ｅの略共役位置（以下、略眼底共役位置）であり、測定光源２０１の投影レンズ２０２による一次結像位置である。これにより、測定光源２０１の像が拡散板２２２上に一旦結像して、それが二次光源となり、レンズ２０５から被検眼Ｅに向かって太い光束として投影される。このように、測定光源２０１と投影レンズ２０２と拡散板２２２とが、被検眼Ｅの眼底Ｅｒに略共役位置に配置される光源の例である。また、光路０１上に配列される測定光源２０１、投影レンズ２０２、拡散板２２２、レンズ２０５が、被検眼Ｅの眼底Ｅｒに光束を投影するための測定投影系および位置合わせ投影系の例である。
【００１４】
この光束が被検眼Ｅの角膜Ｅｆで反射して輝点像を形成し、その光束は再びダイクロイックミラー２０６でその一部が反射される。そして、レンズ２１１を介してダイクロイックミラー２１２で反射し、アライメントプリズム絞り２２３の開口部およびアライメントプリズム絞り２２３の上下に分割されるプリズム部を透過し、結像レンズ２１８よりに収斂されて撮像素子２２０に結像する。アライメントプリズム絞り２２３の中央の開口部は、前眼部照明光源２２１ａ、２２１ｂの波長の光束が通るようになっている。これにより、前眼部照明光源２２１ａ、２２１ｂにより照明された前眼部像の反射光束は、角膜Ｅｆの反射光束の経路と同様に観察光学系を辿り、アライメントプリズム絞り２２３の開口部を介して、結像レンズ２１８により撮像素子２２０に結像する。また、アライメントプリズム絞り２２３は、それを透過する光束が、上方向への屈折と下方向への屈折に分割されるように構成されている。これらを介した光束の位置関係により、被検眼Ｅと装置（測定ユニット１１０）のアライメントを行うことができる。アライメントプリズム絞り２２３と撮像素子２２０とは、アライメントのために被検眼Ｅの角膜Ｅｆからの反射光束を受光する位置合わせ受光手段の例である。
【００１５】
そして、アライメントプリズム絞り２２３の挿抜により、アライメントプリズム絞り２２３が光路０４上にある場合にはアライメントを行うことができ、光路０４から退避している場合には前眼部観察を行うことができる。アライメント時には、角膜Ｅｆにおいて反射結像した角膜輝点は、アライメントプリズム絞り２２３の開口部およびプリズム部により分割される。そして、前眼部照明光源２２１ａ、２２１ｂによって照明された被検眼Ｅの前眼部像と、前眼部照明光源２２１ａ、２２１ｂの輝点像とともに、撮像素子２２０によって指標像Ｔａ、Ｔｂ、Ｔｃとして撮像される。システム制御部１２０は、３つの輝点Ｔａ、Ｔｂ、Ｔｃが検出できると、中心の輝点Ｔｃが撮像される画像の中心に位置するように測定ユニット１１０を上下左右方向に駆動させる。次にシステム制御部１２０は、輝点Ｔａ，Ｔｂが輝点Ｔｃに対して鉛直方向に並ぶように、測定ユニット１１０を前後方向に駆動させる。そして、３つの角膜輝点Ｔａ、Ｔｂ、Ｔｃが鉛直方向に１列に並んだ状態でアライメントを完了する。なお、システム制御部１２０は、Ｘ軸駆動モータ１０３、Ｙ軸駆動モータ１０４、Ｚ軸駆動モータ１０８を駆動する駆動回路（不図示）を制御することによって、測定ユニット１１０を上下左右方向に移動させることができる。
【００１６】
（２）装置の移動
図１で、Ｘ軸フレーム１０２は、ベース１００に対して左右方向（以下、Ｘ軸方向）に移動可能である。Ｘ軸方向の駆動機構は、ベース１００上に固定されたＸ軸駆動モータ１０３と、モータ出力軸に連結された送りねじ（不図示）と、送りねじ上をＸ軸方向に移動可能でＸ軸フレーム１０２に固定されたナット（不図示）で構成されている。Ｘ軸駆動モータ１０３の回転により、送りねじ、ナットを介してＸ軸フレーム１０２がＸ軸方向に移動する。Ｙ軸フレーム１０６は、Ｘ軸フレーム１０２に対して上下方向（以下、Ｙ軸方向）に移動可能である。Ｙ軸方向の駆動機構は、Ｘ軸フレーム１０２上に固定されたＹ軸駆動モータ１０４と、モータ出力軸に連結された送りねじ１０５と、送りねじ上をＹ軸方向に移動可能でＹ軸フレーム１０６に固定されたナット１１４で構成されている。Ｙ軸駆動モータ１０４の回転により、送りねじ１０５、ナット１１４を介してＹ軸フレーム１０６がＹ軸方向に移動する。Ｚ軸フレーム１０７は、Ｙ軸フレーム１０６に対して前後方向（以下、Ｚ軸方向）に移動可能である。Ｚ軸方向の駆動機構は、Ｚ軸フレーム１０７上に固定されたＺ軸駆動モータ１０８と、モータ出力軸に連結された送りねじ１０９と、送りねじ上をＺ軸方向に移動可能でＹ軸フレーム１０６に固定されたナット１１５で構成されている。Ｚ軸駆動モータ１０８の回転により、送りねじ１０９、ナットを介してＺ軸フレーム１０７がＺ軸方向に移動する。Ｚ軸フレーム１０７上には測定を行うための測定ユニット１１０が固定されている。
【００１７】
（眼屈折力情報測定）
（１）測定ユニットの全体構成および測定原理
眼屈折力測定モードでは、図２に示すように、測定光源２０１が点灯する状態で、前眼部照明光源２２１ａ、２２１ｂが消灯し、拡散板２２２が光路０１外に配置される。測定光源２０１は、近赤外波長の光を照射する。この際、アライメントプリズム絞り２２３は、光路０４内にあっても良く、光路０４外にあっても良い。測定光源２０１から被検眼Ｅに至る光路０１上には、測定光源２０１に近い側から順に、投影レンズ２０２と、被検眼Ｅの瞳孔Ｅｐと略共役な絞り２０３と、孔あきミラー２０４と、レンズ２０５と、ダイクロイックミラー２０６とが配置される。ダイクロイックミラー２０６は、被検眼Ｅの側から測定光源２０１の波長以下の赤外および可視光を全反射し、測定光源２０１の波長以上の光束を一部反射する。孔あきミラー２０４の反射方向の光路０２上には、孔あきミラー２０４に近い側から順に、瞳孔Ｅｐとほぼ共役でリング状のスリットを備えた絞り２０７と、光束分光プリズム２０８と、レンズ２０９と、撮像素子２１０とが配置される。
【００１８】
なお、上述した光学系は眼屈折力測定用であり、測定投影系および測定受光系の例である。測定光源２０１から発せられた光束は、絞り２０３で光束が絞られ、投影レンズ２０２によりレンズ２０５の手前で１次結像する。そして、この光束は、レンズ２０５と、ダイクロイックミラー２０６とを透過し、被検眼Ｅの瞳中心近傍を通り、眼底Ｅｒに照射される。眼底Ｅｒに照射された光束の反射光は、瞳孔Ｅｐの中心近傍を通って再びレンズ２０５に入射する。レンズ２０５に入射した光束は、レンズ２０５を透過後に、孔あきミラー２０４で反射する。反射した光束は、被検眼瞳孔Ｅｐとほぼ共役な絞り２０７および光束分光プリズム２０８で瞳分離され、撮像素子２１０の受光面にリング像として投影される。
【００１９】
この際、被検眼Ｅが正視眼であれば、撮像素子２１０の受光面に投影されるリング像は、所定の円になる。また、近視眼では投影されるリング像の円が正視眼に対して小さく、遠視眼では正視眼に対して大きくなる。被検眼Ｅに乱視がある場合には、リング像は楕円になる。そして、水平軸と楕円のなす角度が乱視軸角度となる。システム制御部１２０は、この楕円の係数を基に眼屈折力を求める。
【００２０】
ここで、絞り２０７の構成について、図３〜図５を参照して説明する。図３は、絞りのリング状の開口部の切り替え機構を表す模式図である。図４は、通常瞳孔径用のリング状の開口部２０７ａが光路０４の略光軸上に配置された状態を表す模式図である。図５は、小瞳孔径用のリング状の開口部２０７ｂが、光路０４の略光軸上に配置された状態を表す模式図である。
【００２１】
図３に示すように、絞り板３０１には、絞り２０７として、通常瞳孔径用のリングの状の開口部２０７ａと、通常瞳孔径用のリング状の開口部２０７ａよりも内外径ともに小さい小瞳孔径用のリング状の開口部２０７ｂとが形成される。通常瞳孔径用のリング状の開口部２０７ａは、通常瞳孔径測定モードでの測定で使用される。小瞳孔径用のリング状の開口部２０７ｂは、小瞳孔径測定モードでの測定で使用される。小瞳孔径用のリング状の開口部２０７ｂの光路０４の光軸を中心とする半径は、通常瞳孔径用のリング状の開口部２０７ａの半径より小さく設定される。なお、前述の小瞳孔径用のリング状の開口部２０７ｂの半径は、小瞳孔径用のリング状の開口部２０７ｂの内径に相当する。また、通常瞳孔径用のリング状の開口部２０７ａの半径は、通常瞳孔径用のリング状の開口部２０７ａの内径に相当する。
【００２２】
通常瞳孔径用のリング状の開口部２０７ａと、小瞳孔径用のリング状の開口部２０７ｂとは、被検眼Ｅの角膜Ｅｆに略共役位置に切替え可能に配置される。すなわち、絞り板３０１は、アクチュエータ３０２の駆動により、軸３０４を中心に回動でき、複数の箇所で停止できる（複数の停止位置を有する）。それぞれの停止位置において、通常瞳孔径用のリング状の開口部２０７ａと小瞳孔径用のリング状の開口部２０７ｂのいずれか一方が、光路０２の略光軸上に配置される。具体的には、初期状態では、図４に示すように、通常瞳孔径用のリング状の開口部２０７ａがほぼ光路０２の略光軸上に位置する。そして、システム制御部１２０は、アクチュエータ駆動信号を印加してアクチュエータ３０２を駆動する。これにより、レバー３０３は、反時計回りに回動してストッパ（不図示）により停止する。そうすると、図５に示すように、絞り板３０１に配置されている小瞳孔径用のリング状の開口部２０７ｂが、光路０２の略光軸上に位置する。このように、絞り板３０１とこの絞り板３０１を駆動するアクチュエータ３０２とが、通常瞳孔径用のリング状の開口部２０７ａと、小瞳孔径用のリング状の開口部２０７ｂとを被検眼Ｅの角膜Ｅｆに略共役位置を切替える切替手段の例である。
【００２３】
（２）固視標
図２に示すように、ダイクロイックミラー２０６の反射方向には、固視標投影光学系が配置されている。固視標投影光学系の光路０３上には、ダイクロイックミラー２０６から近い順に、レンズ２１１と、ダイクロイックミラー２１２と、レンズ２１３と、折り返しミラー２１４と、レンズ２１５と、固視標２１６と、固視標照明用光源２１７とが配列されている。固視誘導時には、固視標照明用光源２１７の投影光束は、固視標２１６を裏側から照明する。そして、固視標の像は、レンズ２１５と、折り返しミラー２１４と、レンズ２１３と、ダイクロイックミラー２１２と、レンズ２１１とを介して、被検眼Ｅの眼底Ｅｒに投影される。なお、レンズ２１５は、被検眼Ｅの視度誘導を行い雲霧状態を実現するために、固視誘導モータ２２４により光軸方向に移動できるようになっている。
【００２４】
（測定値補正）
装置を量産すると部品の寸法公差内でのばらつきなどにより、装置固有の測定値のばらつきが生じる。その装置固有のばらつきを低減するために、装置毎に部品位置などを調整して出荷している。しかしながら、実際にユーザー先に設置された状態では、設置場所の環境温度により本体内部の温度が出荷時に調整したときの状態と異なると、設置環境に起因して測定値の変化が生じる場合がある。
【００２５】
眼屈折力の測定においては、眼底Ｅｒで反射した光束を受光素子にて受光し、算出部１２３が眼屈折力の測定値を算出する。この際、設置されている環境温度により、レンズの寸法変化や、レンズを保持している部材の伸縮によるレンズ位置の変化などが生じると、測定値が変化する場合がある。そして、その測定値の変化が大きいと、被検眼Ｅの真の屈折力との乖離が生じ、メガネやコンタクトレンズを作る時のデータとしては信頼性の低いデータとなってしまう。このような測定値に変化が生じる場合には、測定値を補正する必要がある。そこで、以下に、本実施形態における補正方法について述べる。
【００２６】
システム制御部１２０は、測定を開始すると、アライメントのために拡散板２２２を、光路０１の略眼底共役位置の略光軸上に配置し、測定光源２０１を点灯する。拡散板２２２に入射した光束は、被検眼Ｅの側に向かって太い光束を射出する。被検眼Ｅの角膜Ｅｆにより反射した光束は、撮像素子２２０により受光される。そして、前述の通り、システム制御部１２０は、アライメントを行う。ところで、測定ユニット１１０の拡散板２２２は、樹脂製の薄い板状のものである。拡散板２２２は、入射した細い光束を太い光束にして射出するが、入射した光束をすべて透過させるわけではなく、入射した光束の一部は反射する。その反射光束は、穴あきミラー２０４と、リング状のスリットを備えた絞り２０７と、光束分光プリズム２０８（リング円錐プリズム）と、レンズ２０９とを介して撮像素子２１０にリング像として投影される。前述のとおり、拡散板２２２は、略眼底共役位置に配置されている。このため、撮像素子２１０に投影されるリング像は、正視眼の眼底Ｅｒにより反射した光束を撮像素子２１０に投影したリング像と略同一となる。補正部１２２は、このようにして得られたリング像により、測定値を補正するための補正係数を決定する。以下に、補正係数を決定するための具体的なフローについて説明する。
【００２７】
補正部は、測定値を補正するための補正係数を、製造出荷時に記憶した値と、装置を設置したユーザー先で測定するときに記憶した値との比較により決定する。
【００２８】
まず、製造出荷時のフローについて説明する。製造出荷時には、前述の通り、装置毎にレンズの位置などを調整している。その調整が完了したときに、システム制御部１２０は、製造出荷時リング像を取得するために、測定光源２０１を点灯し、測定光源２０１から光束を射出する。このとき、システム制御部１２０は、通常瞳孔径用のリング状の開口部２０７ａを光路０２の略光軸上に配置する。測定光源２０１から射出された光束は拡散板２２２に入射する。拡散板２２２により一部反射する光束を、撮像素子２１０により撮像する。補正部１２２は、撮像素子２１０により撮像したリング像を取得し、取得したリング像を楕円式で近似して、その楕円の長径MajorC0（ＮＰ）、短径MinorC0（ＮＰ）を算出する。そして、補正部１２２は、その値をメモリに記憶する。次に、システム制御部１２０は、アクチュエータ３０２を駆動し、小瞳孔径用のリング状の開口部２０７ｂを光路０２の略光軸上に配置する。補正部１２２は、前述と同様にリング像を取得し、取得したリング像を楕円式に近似して、その楕円の長径MajorC0（ＳＰ）、短径MinorC0（ＳＰ）を算出する。そして補正部１２２は、その値をメモリ１２１に記憶する。これにより、製造出荷持の補正値保存フローは終了する。
【００２９】
次に、ユーザー先にて実際に測定した際の測定値補正フローについて説明する。被検者が顎受け１１２に顎を乗せ、額受け（不図示）に額を当てて測定する準備が整うと、検者はジョイスティック１０１に設けられている測定開始釦（不図示）を押下する。これにより、システム制御部１２０は、被検眼Ｅの眼屈折力の測定を開始する。このとき、システム制御部１２０は、絞り板３０１の通常瞳孔径用のリング状の開口部２０７ａを光路０２の光軸上に配置する。測定を開始すると、システム制御部１２０は、測定ユニット１１０と被検眼Ｅの位置を確認するため、測定光源２０１を点灯する。測定光源２０１が点灯すると前述の通り、拡散板２２２により拡散された光束が被検眼Ｅの角膜Ｅｆにおいて反射する。そして、撮像素子２２０は、３つの輝点Ｔａ，Ｔｂ，Ｔｃを撮像する。システム制御部１２０は、撮像素子２２０が撮像した３つの輝点Ｔａ，Ｔｂ，Ｔｃを用いてアライメントを行う。アライメント開始と略同時に、拡散板２２２で一部反射した光束が撮像素子２１０にリング像として投影され、撮像素子２１０がこのリング像を撮影する。補正部１２２は、撮像されたリング像を楕円式で近似して、出荷時と同様に楕円の長径MajorC1（ＮＰ）、短径MinorC1（ＮＰ）を算出し、その値をメモリ１２１に記憶する。そして、補正部１２２は、図６に示す通り、出荷時に記憶した長径MajorC0と、短径MinorC0と比較して、通常瞳孔径モードでの補正係数を決定する。補正係数を算出するための式としては、たとえば次式が適用できる。すなわち、出荷時と測定の際とのリング像の寸法の比を補正係数として用いる構成が適用できる。
補正係数Ｃ  =  MajorC1  ／  MajorC0
【００３０】
次に、システム制御部１２０は、アクチュエータ３０２を駆動し、絞り板３０１の小瞳孔径用のリング状の開口部２０７ｂを、光路０２の光軸上に配置する。絞り板３０１の小瞳孔径用のリング状の開口部２０７ｂが光路０２の光軸上に配置されると、拡散板２２２で一部反射した光束は、撮像素子２１０に投影される。撮像素子２１０は、投影されたリング像を撮像して取得する。補正部１２２は、取得したリング像を楕円式で近似して、出荷時と同様に、楕円の長径MajorC1（ＳＰ）、短径MinorC1（ＳＰ）を算出し、その値をメモリ１２１に記憶する。そして、補正部１２２は、出荷時に記憶した長径MajorC0と短径MinorC0のそれぞれと比較して、小瞳孔径モードでの補正係数を決定する。
【００３１】
以上の処理により、通常瞳孔径モードと小瞳孔径モードの２つの測定モードで使用する補正係数が決定される。これにより、２つの測定モードの測定値を補正できる。なお、アライメントの完了後に直ちに眼屈折力の測定を開始できるように、補正部１２２は、補正係数を決定する処理を、アライメント中に完了させる。なお、アライメントが完全に合致している位置から眼屈折力の測定を開始する場合などは、アライメントの時間が短く、アライメント中に補正係数を決定する処理が完了しないことがある。この場合には、補正部１２２は、補正係数を決定する処理を中止し、システム制御部１２０は、眼屈折力の測定を行う。そしてこの場合には、前回に決定した補正係数を利用して測定値を補正する。また、本実施形態では、アライメント中に通常瞳孔径モードと小瞳孔径モードの両モードのリング像を取得したが、このような構成に限定されない。たとえば、そのときの測定モードのみのリング像を取得できるように選択可能にして測定値補正を行っても良い。
【００３２】
補正部１２２が測定値の補正係数が決定し、さらにアライメントが終了すると、システム制御部１２０は、眼屈折力測定を開始する。そして、前述のとおり、算出部１２３は、眼屈折力測定値（Diopter_Raw）を算出する。そして算出部１２３は、算出した測定値（Diopter_Raw）に、補正部１２２がアライメント中に決定した補正係数を掛けることで測定値を補正する（Diopter_C）。システム制御部１２０は、算出部１２３が補正した測定値（Diopter_C）をＬＣＤモニタ１１６に表示する。これにより測定が完了する。なお、補正した測定値（Diopter_C）は、例えば次のような式であらわされる。
Diopter_C  ＝  Ｃ  ×  Diopter_Raw
【００３３】
本実施形態では、システム制御部１２０がアライメントを自動で行うオートアライメントにおける測定値の補正フローについて説明したが、本発明はこのような構成に限定されない。たとえば、検者がジョイスティック１０１を傾倒して測定ユニット１１０を動かしてアライメントを行うマニュアルアライメントにおいても、同様な補正を行うことが可能である。
【００３４】
以上説明したように、本実施形態では、アライメント検出のための光源は、眼屈折力測定用の測定光源２０１と共通であり、光源を別個に設けなくてもよい。このため、装置の価格を抑えて、安価に測定値を補正することが可能になる。さらに本実施形態では、眼屈折力測定用の測定光源２０１からの光束を拡散させることで、アライメント検出のための二次光源となる拡散板２２２で一部反射する光束を用いて補正している。このような構成であると、新たに部品を配置しなくてもよい。したがって、省スペースで測定値を補正することが可能になる。
【００３５】
ここで、システム制御部１２０とメモリ１２１と補正部１２２と算出部１２３のハードウェア構成について説明する。眼屈折力計１は、ＣＰＵとＲＯＭとＲＡＭと記憶装置とを含んで構成されるコンピュータを有する。ＲＯＭまたは記憶装置には、上述の処理を含む眼屈折力計１を制御するためのプログラムが格納されている。ＣＰＵはこのコンピュータプログラムをＲＯＭから読出し、ＲＡＭに展開して実行する。これにより、このコンピュータは、システム制御部１２０、メモリ１２１、補正部１２２、算出部１２３として機能し、上述の処理が実現する。
【００３６】
以上、本発明の実施形態について詳細に説明したが、本発明は、前述の実施形態に限定されるものではない。本発明は、その趣旨を逸脱しない範囲において種々の改変が可能であり、それらも本発明の技術的範囲に含まれる。
【００３７】
また、本発明は、以下の処理を実行することによっても実現される。即ち、上述した実施形態の機能を実現するソフトウェア（プログラム）を、ネットワーク又は各種記憶媒体を介してシステム或いは装置に供給し、そのシステム或いは装置のコンピュータ（またはＣＰＵやＭＰＵ等）がプログラムを読み出して実行する処理である。
【符号の説明】
【００３８】
１００：ベース、１１０：測定ユニット、１０６：Ｙ軸フレーム、２０１：測定光源、２０７：絞り板、２１０：撮像素子、Ｅｆ：被検眼角膜、Ｅｒ：被検眼眼底面
【図１】
2015167682.tif 000003
【図２】
2015167682.tif 000004
【図３】
2015167682.tif 000005
【図４】
2015167682.tif 000006
【図５】
2015167682.tif 000007
【図６】
2015167682.tif 000008